(57)【要約】      （修正有）【課題】小さい動作角で回動可能なラチェットレンチを提供する。【解決手段】収容空間と収容室とを含むヘッド部と、収容空間に設け、第１ラチェット歯２１と、第２ラチェット歯２２とを含み、第１ラチェット歯と第２ラチェット歯とも外周部に繞設し、第１ラチェット歯と第２ラチェット歯と擦れ違いを形成する駆動具２０と、第１歯形部３１を含み、収容室に設ける第１回し金３０と、第２歯形部３２を含み、収容室に設ける第２回し金４０と、収容室に設け、第１回し金を支えることによって、第１歯形部を第１ラチェット歯に噛み合わる第１支え装置５０と、収容室に設け、第２回し金を支えることによって、第２歯形部を第２ラチェット歯に噛み合わる第２支え装置６０と、を備える。【選択図】図２
0003182346.tif 000002
【実用新案登録請求の範囲】
【請求項１】
収容空間と、収容室とを含み、前記収容空間と前記収容室とを連絡するヘッド部と、
第１ラチェット歯と、第２ラチェット歯とを含み、前記第１ラチェット歯と前記第２ラチェット歯とも外周面に繞設し、前記第１ラチェット歯と前記第２ラチェット歯と擦れ違いを形成して前記収容空間に設け、被駆動部材を駆動できる駆動具と、
第１歯形部を含み、前記収容室に設ける第１回し金と、
第２歯形部を含み、前記収容室に設ける第２回し金と、
前記収容室に設け、前記第１回し金を支えることによって、前記第１歯形部を前記第１ラチェット歯に支える第１支え装置と、
前記収容室に設け、前記第２回し金を支えることによって、前記第２歯形部を前記第２ラチェット歯に支える第２支え装置と、を備え、
前記第１歯形部と、前記第２歯形部が交代にそれぞれ前記第１ラチェット歯と、前記第２ラチェット歯にかみ合わせる、小さい動作角で回動可能なラチェットレンチ。
【請求項２】
収容空間と、収容室とを含み、前記収容空間と前記収容室とを連絡するヘッド部と、
外周面に繞設する第１ラチェット歯を含み、前記収容空間に設け、被駆動部材を駆動できる駆動具と、
第１歯形部を含み、前記収容室に設ける第１回し金と、
前記収容室に設け、第２歯形部を含み、前記第１回し金と上下に重ね合わせ、前記第１回し金の前記第１歯形部と、前記第２回し金の第２歯形部と擦れ違いを形成する第２回し金と、
前記収容室に設け、前記第１回し金を支えることによって、前記第１歯形部を前記第１ラチェット歯に支える第１支え装置と、
前記収容室に設け、前記第２回し金を支えることによって、前記第２歯形部を前記第１ラチェット歯に支える第２支え装置と、を備え、
前記第１歯形部と、前記第２歯形部が交代にそれぞれ前記第１ラチェット歯にかみ合わせる、小さい動作角で回動可能なラチェットレンチ。
【請求項３】
前記第１回し金は第１弧面と、第１凹み部とを含み、前記第１歯形部と、前記第１弧面がそれぞれ反対面に位置し、前記第１凹み部は前記第１弧面に凹設され、前記第１凹み部は第１係止面を含み、
前記第２回し金は第２弧面と、第２凹み部とを含み、前記第２歯形部と、前記第２弧面がそれぞれ反対面に位置し、前記第２凹み部は前記第２弧面に凹設され、前記第２凹み部は第２係止面を含み、
前記収容室は前記収容空間の反対端に弧形壁を形成し、前記ヘッド部は支え具を含み、
前記第１支え装置の一端は前記第１凹み部の前記第１係止面に支え、前記第１支え装置のもう一端を前記支え具に設け、
前記第２支え装置の一端は前記第２凹み部の前記第２係止面に支え、前記第２支え装置のもう一端は前記支え具に設けることを特徴とする請求項１又は２に記載の小さい動作角で回動可能なラチェットレンチ。
【請求項４】
前記第１回し金は第１弧面と、第１凹み部とを含み、前記第１歯形部と、前記第１弧面はそれぞれ反対面に位置し、前記第１凹み部は前記第１弧面に凹設され、前記第１凹み部は第１係止面を含み、
前記第２回し金は前記第２弧面と、前記第２凹み部とを含み、前記第２歯形部と前記第２弧面はそれぞれ反対面に位置し、前記第２凹み部は前記第２弧面に凹設され、前記第２凹み部は第２係止面を含み、
前記収容室は前記収容空間の反対端に前記弧形壁を形成し、前記収容室は第１収容溝と、第２収容溝とを有し、前記第１収容溝と、前記第２収容溝は前記弧形壁を貫き、かつ前記第１収容溝と、前記第２収容溝とを平行され、
前記第１支え装置は第１支え具と、第１弾性部材とを含み、前記第１支え具に前記第１弾性部材を嵌着し、前記第２支え装置は第２支え具と、前記第２弾性部材とを含み、前記第２支え具は前記第２弾性部材に嵌着され、
前記第１支え装置の一端の前記第１支え具を前記第１凹み部の前記第１係止面に支え、前記第１支え装置のもう一端は前記第１弾性部材が前記ヘッド部に設ける前記第１収容溝に設けられ、
前記第２支え装置の一端の前記第２支え具を前記第２凹み部の前記第２係止面に支え、前記第２支え装置のもう一端は前記第２弾性部材が前記ヘッド部に設ける前記第２収容溝に設けることを特徴とする請求項１又は２に記載の小さい動作角で回動可能なラチェットレンチ。
【考案の詳細な説明】
【技術分野】
【０００１】
本考案はラチェットレンチに関し、特に小さい動作角で回動可能なラチェットレンチに関する。
【背景技術】
【０００２】
台湾特許証書第Ｍ４２３０２５号（特許文献１）に記載の組立便利な一方向ラチェットレンチの改良構造において、ラチェットレンチの本体を有し、前記ラチェットレンチの本体に備えるラチェットヘッドの位置は回し金を組み付けるため収容穴を貫いて設け、回し金の外周面はラチェット歯の表面を形成し、収容穴側壁の表面は引き込み状の凹み溝を設ける。弧形部材を有し、弧形部材は片手の把持に適するほか、容易に凹み溝に組み付けることができ、弧形部材は弧形ブロック組と、ばねと、回し金からなり、回し金は柱体と、回し金向きに複数のラチェット歯とを設け、弧形ブロック組にばね収容穴を設けることによって、柱体とばね収容穴によってばねを制限して置き、弧形ブロック組は回し金の側辺向きに一体して延在翼板を延設し、延在翼板によって、回し金と、ばねと、延在翼板とを容易に片手に把持して組み付けることができる特徴を有する。ラチェットレンチ本体に備える収容穴の両端部はそれぞれフランジリングと、環状凹み溝とを設け、フランジリングは回し金の一表面を係止することができ、環状凹み溝に止めばねを係着することによって、回し金がもう一つの表面より抜け出すことを防止できる。
【先行技術文献】
【特許文献】
【０００３】
【特許文献１】台湾特許証書第Ｍ４２３０２５号
【考案の概要】
【考案が解決しようとする課題】
【０００４】
しかし、回し金がラチェットヘッド部に噛み合わせるとき、回し金の歯形とラチェットヘッド部の歯形がラチェットレンチの回動角に関係する一方、歯形の比例も回し金全体の寸法に配慮の必要があり、歯形が小さすぎると、ラチェットレンチが被駆動部材を駆動するとき、歯形が小さすぎて、トルク不足または歯崩れを発生する恐れがあるため、歯形のサイズは無条件に縮小することはできない。
【０００５】
考案者は一定のトルクを有し、かつ小さい回動角を提供するため本案を考案し、本考案の提供により、従来技術が直面する問題の軽減を図る。
【課題を解決するための手段】
【０００６】
本考案で解決を図る技術問題は、既存技術の欠点について、小さい動作角で回動可能なラチェットレンチを提供する。
【０００７】
本考案の小さい動作角で回動可能なラチェットレンチは、収容空間と収容室とを含み、収容空間と、収容室とを連絡するヘッド部と、収容空間に設け、第１ラチェット歯と、第２ラチェット歯とを含み、第１ラチェット歯と第２ラチェット歯とも外周部に繞設し、第１ラチェット歯と第２ラチェット歯と擦れ違いを形成する駆動具と、第１歯形部を含み、収容室に設ける第１回し金と、第２歯形部を含み、収容室に設ける第２回し金と、収容室に設け、第１回し金を支えることによって、第１歯形部を第１ラチェット歯に噛み合わせる第１支え装置と、収容室に設けられ、第２回し金を支えることによって、第２歯形部を第２ラチェット歯に噛み合わせる第２支え装置と、を備える。
【０００８】
本考案の主な技術改良手段は第１ラチェット歯と、第２ラチェット歯との擦れ違い設計により、本考案の小さい動作角で回動可能なラチェットレンチを回すと、第１回し金の第１歯形部が第１ラチェット歯に噛み合わせ、引き続き回すと、第１歯形部が第１ラチェット歯を離脱すると共に、第２ラチェット歯の第２歯形部が第２ラチェット歯に噛み合わせ、さらに回すと、第２歯形部が第２ラチェット歯を離脱すると共に、第１回し金の第１歯形部が再び第１ラチェット歯に噛み合わせる。第１歯形部と、第２歯形部が交代にそれぞれ第１ラチェット歯と、第２ラチェット歯に噛み合わせることによって、小さい回動角の効果が提供される。
【０００９】
本考案つぎの技術改良手段は第１歯形部と、第２歯形部とを擦れ違い設計することによって、本考案の小さい動作角で回動可能なラチェットレンチを回すと、第１回し金の第１歯形部が第１ラチェット歯に噛み合わせ、引き続き回すと、第１歯形部が第１ラチェット歯を離脱すると共に、第２ラチェット歯の第２歯形部が第１ラチェット歯に噛み合わせ、さらに回すと、第２歯形部が第１ラチェット歯を離脱すると共に、第１回し金が再び第１ラチェット歯に噛み合わせる。第１歯形部と、第２歯形部が交代にそれぞれ第１ラチェット歯に噛み合わせることによって、小さい回動角の効果が提供される。
【００１０】
本考案また一つの技術改良手段は、第１ラチェット歯と第２ラチェット歯との擦れ違い設計と、第１歯形部と第２歯形部との擦れ違い設計により、歯形自体を縮小しておらず、このような設計は、ラチェットレンチのトルクが低下されないほか、過度な回動による歯崩れの事故は発生しない。
【考案の効果】
【００１１】
以下の説明内容から、本考案は以下の長所をまとめることができる。
【００１２】
イ、本考案による小さい動作角で回動可能なラチェットレンチは第１ラチェット歯と、第２ラチェット歯との擦れ違い設計により、本考案の小さい動作角で回動可能なラチェットレンチを回すと、第１回し金の第１歯形部が第１ラチェット歯に噛み合わせ、引き続き回すと、第１歯形部が第１ラチェット歯を離脱すると共に、第２回し金の第２歯形部が第２ラチェット歯に噛み合わせ、さらに回すと、第２歯形部が第２ラチェット歯を離脱すると共に、第１回し金の第１歯形部が再び第１ラチェット歯に噛み合わせる。第１歯形部と、第２歯形部が交代にそれぞれ第１ラチェット歯と、第２ラチェット歯に噛み合わせることによって、小さい回動角の効果が提供される。
【００１３】
ロ、本考案による小さい動作角で回動可能なラチェットレンチは第１歯形部と、第２歯形部との擦れ違い設計により、本考案の小さい動作角で回動可能なラチェットレンチを回すと、第１回し金の第１歯形部が第１ラチェット歯に噛み合わせ、引き続き回すと、第１歯形部が第１ラチェット歯を離脱すると共に、第２回し金の第２歯形部が第１ラチェット歯に噛み合わせ、さらに回すと、第２歯形部が第１ラチェット歯を離脱すると共に、第１回し金の第１歯形部が再び第１ラチェット歯に噛み合わせる。第１歯形部と、第２歯形部が交代にそれぞれ第１ラチェット歯に噛み合わせることによって、小さい回動角の効果が提供される。
【００１４】
ハ、本考案による小さい動作角で回動可能なラチェットレンチは、第１ラチェット歯と第２ラチェット歯との擦れ違い設計と、第１歯形部と第２歯形部との擦れ違い設計により、歯形自体を縮小しておらず、このような設計は、ラチェットレンチのトルクが低下されないほか、過度な回動により歯崩れの事故は発生しない。
【図面の簡単な説明】
【００１５】
【図１】本考案による小さい動作角で回動可能なラチェットレンチ実施例１の立体外観図である。
【図２】本考案による小さい動作角で回動可能なラチェットレンチ実施例１の立体分解図である。
【図３】本考案による小さい動作角で回動可能なラチェットレンチ実施例１の立体の局所断面図である。
【図４】本考案による小さい動作角で回動可能なラチェットレンチ実施例１の断面図であり、第１回し金と第２回し金とを駆動具に噛み合わせる態様を示す。
【図５】本考案の図４の５−５切断面に沿う断面図であり、第１回し金を駆動具に噛み合わせる態様を示す。
【図６】本考案の図４の６−６切断面に沿う断面図であり、第２回し金を駆動具に噛み合わせる態様を示す。
【図７】本考案図６の引き続きであり、第２回し金を駆動具に噛み合わせる態様を示す。
【図８】本考案図５の引き続きであり、第１回し金を駆動具に噛み合わせる態様を示す。
【図９】本考案による小さい動作角で回動可能なラチェットレンチ実施例２の立体分解図である。
【図１０】本考案による小さい動作角で回動可能なラチェットレンチ実施例２の断面図であり、第１回し金と第２回し金とを駆動具に噛み合わせる態様を示す。
【図１１】本考案の図１０の１１−１１切断面に沿う断面図であり、第１回し金を駆動具に噛み合わせる態様を示す。
【図１２】本考案の図１０の１２−１２切断面に沿う断面図であり、第２回し金を駆動具に噛み合わせる態様を示す。
【図１３】本考案による小さい動作角で回動可能なラチェットレンチ実施例３の立体分解図であり、第１回し金と第２回し金とを分離する態様を示す。
【図１４】本考案による小さい動作角で回動可能なラチェットレンチ実施例３の立体分解図であり、第１回し金と第２回し金とを重ね合わせる態様を示す。
【図１５】本考案による小さい動作角で回動可能なラチェットレンチ実施例３の概略図であり、第１回し金と第２回し金とを重ね合わせる態様を示す。
【図１６】本考案による小さい動作角で回動可能なラチェットレンチ実施例３の断面図であり、第１回し金を駆動具に噛み合わせる態様を示す。
【図１７】本考案による小さい動作角で回動可能なラチェットレンチ実施例３の断面図であり、第２回し金を駆動具に噛み合わせる態様を示す。
【図１８】本考案による小さい動作角で回動可能なラチェットレンチ実施例４の立体分解図である。
【考案を実施するための形態】
【００１６】
本考案による技術、手段ならびに効果は、４つの好ましい実施例と図式を合わせて、以下の通り説明する。ただし、これらは説明を目的とし本考案の請求範囲はこれらの構造に制限されない。
【実施例１】
【００１７】
図１ないし４に、本考案による小さい動作角で回動可能なラチェットレンチ実施例１の立体外観図と、立体分解図と、断面図とを参照する。本考案の小さい動作角で回動可能なラチェットレンチはヘッド部１０と、駆動具２０と、第１回し金３０と、第２回し金４０と、第１支え装置５０と、第２支え装置６０と、を備える。
【００１８】
ヘッド部１０は収容空間１１と、収容室１２と、離脱防止具１３と、支え具１４とを含み、収容空間１１と収容室１２とを連絡していて、収容空間１１はヘッド部１０の両端を貫き、ヘッド部１０の一端は係止面１５を形成し、ヘッド部１０のもう一端は凹み縁部１６を形成して、離脱防止具１３を凹み縁部１６に設ける。離脱防止具１３はＣリングを実施する。
【００１９】
収容室１２は収容空間１１の反対端に弧状壁１２１が形成されている。支え具１４は収容室１２に設け、支え具１４は底面１４１と立面１４２とを含み、底面１４１は弓月形を形成し、底面１４１は突起弧状の一端は弧状壁１２１に対応されている。立面１４２と底面１４１とを垂直し、立面１４２は同じ側向きに第１突起部１４３と、第２突起部１４４とを設けられ、第１突起部１４３と第２突起部１４４は平行されている。
【００２０】
駆動具２０は収容空間１１に設けられ、駆動具２０は被駆動部材を駆動することができ、駆動具２０は第１ラチェット歯２１と、第２ラチェット歯２２と、駆動穴２３と、リング溝２４とを含み、第１ラチェット歯２１と、第２ラチェット歯２２とを駆動具２０の外周面に繞設し、第１ラチェット歯２１と、第２ラチェット歯２２と擦れ違いを形成し、駆動穴２３に被駆動部材を嵌着することができ、リング溝２４は凹み縁部１６に対応し、離脱防止具１３はそれぞれ凹み縁部１６とリング溝２４に設けられ、駆動具２０の一端は係止面１５当設し、駆動具２０の他端を離脱防止具１３に制限することによって、駆動具２０は勝手にヘッド部１０より抜け出せない。
【００２１】
第１ラチェット歯２１は複数の第１歯の山部２１１と、複数の第１歯の谷部２１２とを含み、第２ラチェット歯２２は複数の第２歯の山部２２１と複数の第２歯の谷部２２２（図５と６を参照）とを含み、第２歯の山部２２１は第１歯の谷部２１２に対応し、第２歯の谷部２２２は第１歯の山部２１１に対応する。
【００２２】
第１回し金３０は収容室１２に設け、第１回し金３０は第１歯形部３１と、第１弧面３２と、第１凹み部３３とを含み、第１歯形部３１と、第１弧面３２はそれぞれ反対面に位置し、第１凹み部３３は第１弧面３２に凹設され、第１凹み部３３は第１係止面３３１を含める。第１歯形部３１は複数の第３歯の山部３１１と複数の第３歯の谷部３１２とを含める。
【００２３】
本実施例において、第２回し金４０は第１回し金３０と同じ態様を形成していて、第２回し金４０は収容室１２に設け、第２回し金４０は第２歯形部４１と、第２弧面４２と、第２凹み部４３とを含み、第２歯形部４１と、第２弧面４２はそれぞれ反対面に位置し、第２凹み部４３は第２弧面４２に凹設し、第２凹み部４３は第２係止面４３１を含める。第２歯形部４１は複数の第４歯の山部４１１と複数の第４歯の谷部４１２とを含み、第４歯の山部４１１は第３歯の山部３１１に対応し、第４歯の谷部４１２は第３歯の谷部３１２に対応する。
【００２４】
第１支え装置５０は収容室１２に設けられ、第１支え装置５０の一端は第１回し金３０に備える第１凹み部３３の第１係止面３３１に支え、第１支え装置５０もう一端をヘッド部１０に備える１４の第１突起部１４３に嵌着することによって、第１歯形部３１を第１ラチェット歯２１に噛み合わせる。実施例１において、第１支え装置５０は圧縮ばねを実施されている。
【００２５】
第２支え装置６０は収容室１２に設けられ、第２支え装置６０の一端は第２回し金４０に備える第２凹み部４３の第２係止面４３１に支え、第２支え装置６０もう一端をヘッド部１０に備える１４の第２突起部１４４に嵌着することによって、第２歯形部４１を第２ラチェット歯２２に噛み合わせる。実施例１において、第２支え装置６０は圧縮ばねを実施されている。
【００２６】
図５と６、本考案のより小さい角度で回動可能なラチェットレンチ実施例１の概略図を参照する。本考案のより小さい角度で回動可能なラチェットレンチが使用していない状態のとき、第１回し金３０の第１係止面３３１が第１支え具５０の押し込みを受け、第１歯形部３１が第１ラチェット歯２１に噛み合わせている。第２回し金４０は第１ラチェット歯２１と、第２ラチェット歯２２と擦れ違いを形成するによって、第２回し金４０の第２歯形部４１は第２ラチェット歯２２に噛み合わせしていない。
【００２７】
図７と８、本考案のより小さい角度で回動可能なラチェットレンチ実施例１の使用態様図を参照する。本考案のより小さい角度で回動可能なラチェットレンチを回すと、第１回し金３０の第１歯形部３１と第２回し金４０の第２歯形部４１が駆動具２０の第１ラチェット歯２１と第２ラチェット歯２２に噛み合わせられる。第１ラチェット歯２１と、第２ラチェット歯２２との擦れ違い設計により、本考案の小さい動作角で回動可能なラチェットレンチを回すと、第１回し金３０の第１歯形部３１が第１ラチェット歯２１を噛み合わせ、引き続き回すと、第１歯形部３１が第１ラチェット歯２１を離脱すると共に、第２回し金４０の第２歯形部４１が第２ラチェット歯２２を噛み合わせ、さらに回すと、第２歯形部４１が第２ラチェット歯２２を離脱すると共に、第１回し金３０の第１歯形部３１が再び第１ラチェット歯２１に噛み合わせる。第１歯形部３１と、第２歯形部４１が交代にそれぞれ第１ラチェット歯２１と、第２ラチェット歯２２に噛み合わせることによって、小さい回動角の効果が提供される。
【００２８】
本考案は第１ラチェット歯２１と第２ラチェット歯２２との擦れ違い設計により、歯形自体を縮小しておらず、このような設計は、ラチェットレンチのトルクが低下されないほか、過度な回動によって歯崩れ事故も発生されない。
【実施例２】
【００２９】
図９ないし１２、本考案による小さい動作角で回動可能なラチェットレンチ実施例２の立体分解図と、断面図とを参照する。本考案実施例２と実施例１と異なる点は、ヘッド部１０に収容空間１１と、収容室１２と、離脱防止具１３とを含めており、収容室１２に第１収容溝１２２と第２収容溝１２３とを設けられ、第１収容溝１２２と、第２収容溝１２３とを弧状壁１２１に穿設していて、かつ第１収容溝１２２と、第２収容溝１２３は平行されている。
【００３０】
本考案実施例２と実施例１ともう一つの異なる点は、第１支え装置５０ａは第１支え具５１ａと第１弾性部材５２ａとを含み、第１支え具５１ａを第１弾性部材５２ａに嵌着されている。第２支え装置６０ａは第２支え具６１ａと、第２弾性部材６２ａとを含み、第２支え具６１ａは第２弾性部材６２ａに嵌着されている。
【００３１】
第１支え装置５０ａは収容室１２に設けられ、第１支え装置５０ａ一端の第１支え具５１ａを第１回し金３０に備える第１凹み部３３の第１係止面３３１に支え、第１支え装置５０ａもう一端の第１弾性部材５２ａをヘッド部１０の第１収容溝１２２に設けることによって、第１歯形部３１を第１ラチェット歯２１に噛み合わせる。実施例２において、支え装置５０ａは圧縮ばねを実施されている。
【００３２】
第２支え装置６０ａは収容室１２に設けられ、第２支え装置６０ａ一端の第２支え具６１ａを第２回し金４０に備える第２凹み部４３の第２係止面４３１に支え、第２支え装置６０ａもう一端の第２弾性部材６２ａをヘッド部１０の第２収容溝１２３に設けることによって、第２歯形部４１を第２ラチェット歯２２に噛み合わせる。実施例２において、第２弾性部材６２ａは圧縮ばねを実施されている。
【実施例３】
【００３３】
図１３ないし１７、本考案による小さい動作角で回動可能なラチェットレンチ実施例３の立体分解図と、断面図とを参照する。本考案の実施例３と実施例１と異なる点は駆動具２０にある。駆動具２０は収容空間１１に設けられ、駆動具２０によって被駆動部材を駆動でき、駆動具２０は第１ラチェット歯２１と、駆動穴２３と、リング溝２４とを含み、第１ラチェット歯２１を駆動具２０の外周面に繞設し、駆動穴２３に被駆動部材を嵌着することができ、リング溝２４は凹み縁部１６に対応しており、離脱防止具１３は凹み縁部１６とリング溝２４に位置し、駆動具２０の一端は係止面１５に当設し、駆動具２０もう一端は離脱防止具１３を制限し、駆動具２０は自動にヘッド部１０から離脱されない。
【００３４】
本考案実施例３と実施例１ともう一つの異なる点は、第１回し金３０と、第２回し金４０が上下に重ね合わせたとき、第１回し金３０の第１歯形部３１と第２回し金４０の第２歯形部４１と擦れ違いを形成し、第２回し金４０の第４歯の山部４１１が第１回し金３０の第３歯の谷部３１２に対応し、第４歯の谷部４１２は第３歯の山部３１１に対応する。
【００３５】
本考案のより小さい角度で回動可能なラチェットレンチを回すと、第１回し金３０の第１歯形部３１と第２回し金４０の第２歯形部４１が駆動具２０の第１ラチェット歯２１に噛み合わせられる。第１歯形部３１と、第２歯形部４１との擦れ違い設計により、本考案の小さい動作角で回動可能なラチェットレンチを回すと、第１回し金３０の第１歯形部３１が第１ラチェット歯２１を噛み合わせ、引き続き回すと、第１歯形部３１が第１ラチェット歯２１を離脱すると共に、第２回し金４０の第２歯形部４１が第１ラチェット歯２１を噛み合わせ、さらに回すと、第２歯形部４１が第１ラチェット歯２１を離脱すると共に、第１回し金３０の第１歯形部３１が再び第１ラチェット歯２１に噛み合わせる。第１歯形部３１と、第２歯形部４１が交代にそれぞれ第１ラチェット歯２１に噛み合わせることによって、小さい回動角の効果が提供される。
【００３６】
本考案は第１歯形部３１と第２歯形部４１との擦れ違い設計により、歯形自体を縮小しておらず、このような設計は、ラチェットレンチのトルクが低下されないほか、過度な回動によって歯崩れ事故も発生されない。
【実施例４】
【００３７】
図１８、本考案による小さい動作角で回動可能なラチェットレンチ実施例４の立体分解図を参照する。本考案の実施例４と実施例２と異なる点は駆動具２０にある。駆動具２０は収容空間１１に設けられ、駆動具２０によって被駆動部材を駆動でき、駆動具２０は第１ラチェット歯２１と、駆動穴２３と、リング溝２４とを含み、第１ラチェット歯２１は駆動具２０の外周面に繞設し、駆動穴２３に被駆動部材を嵌着することができ、リング溝２４は凹み縁部１６に対応しており、離脱防止具１３は凹み縁部１６とリング溝２４に位置し、駆動具２０の一端は係止面１５に当設し、駆動具２０もう一端は離脱防止具１３を制限し、駆動具２０は自動にヘッド部１０から離脱されない。
【符号の説明】
【００３８】
１０      ヘッド部
１１      収容空間
１２      収容室
１２１      弧状壁
１２２      第１収容溝
１２３      第２収容溝
１３      離脱防止具
１４      支え具
１４１      底面
１４２      立面
１４３      第１突起部
１４４      第２突起部
１５      係止面
１６      凹み縁部
２０      駆動具
２１      第１ラチェット歯
２１１      第１歯の山部
２１２      第１歯の谷部
２２      第２ラチェット歯
２２１      第２歯の山部
２２２      第２歯の谷部
２３      駆動穴
２４      リング溝
３０      第１回し金
３１      第１歯形部
３１１      第３歯の山部
３１２      第３歯の谷部
３２      第１弧面
３３      第１凹み部
３３１      第１係止面
４０      第２回し金
４１      第２歯形部
４１１      第４歯の山部
４１２      第４歯の谷部
４２      第２弧面
４３      第２凹み部
４３１      第２係止面
５０      第１支え装置
６０      第２支え装置
５０ａ      第１支え装置
５１ａ      第１支え具
５２ａ      第１弾性部材
６０ａ      第２支え装置
６１ａ      第２支え具
６２ａ      第２弾性部材
【図１】
0003182346.tif 000003
【図２】
0003182346.tif 000004
【図３】
0003182346.tif 000005
【図４】
0003182346.tif 000006
【図５】
0003182346.tif 000007
【図６】
0003182346.tif 000008
【図７】
0003182346.tif 000009
【図８】
0003182346.tif 000010
【図９】
0003182346.tif 000011
【図１０】
0003182346.tif 000012
【図１１】
0003182346.tif 000013
【図１２】
0003182346.tif 000014
【図１３】
0003182346.tif 000015
【図１４】
0003182346.tif 000016
【図１５】
0003182346.tif 000017
【図１６】
0003182346.tif 000018
【図１７】
0003182346.tif 000019
【図１８】
0003182346.tif 000020